(57)【要約】【課題】パチンコ台をパチンコ島に取り付けるには、先に台枠を取り付け、次いでこの台枠にパチンコ台が開閉自在として取り付けられる。  このパチンコ台の取付けに傾斜調整装置を利用するにあたり、パチンコ島内部の設置スペースが狭い場合、この取り付けが困難になることがあった。  この発明は、上記問題を解決した傾斜調整システムを提供することを目的としている。【解決手段】パチンコ台を台枠に取り付ける傾斜調整装置のうち、水平なネジ棹を回転して傾斜を調整するにあたり、このネジ棹自体を前後に移動させずに、ネジ棹にネジ込んだナットの移動によって行なわれるようにして問題の解決を計った。【選択図】図２
2020168342.tif 000002
【特許請求の範囲】
【請求項１】
パチンコ島に取り付けたパチンコ台の傾斜を調整するパチンコ台の傾斜調整システムであり、
パチンコ島に固定したギヤボックスに回転自在として組み込まれ、移動ナットを螺合した調整ボルトと、
調整ボルトに連結したフォトインタラプタと、
１もしくは複数のギヤを介して、上記フォトインタラプタと連結したステッピンクモーターと、
パチンコ台もしくはパチンコ島に取り付けたセンサーのデーターに基づいてフォトインタラプタの回転角度を制御する制御基板と、
パチンコ台の傾斜値を５厘単位で表示するディスプレイを備えたコントローラとで構成した傾斜調整ユニットと、
上記移動ナットに、上下移動自在に連結した上部枠の取り付けユニットとで構成し、
上記コントローラで、パチンコ台の傾斜値を選択することでパチンコ台の傾斜が調整されることを特徴とする、
パチンコ台の傾斜調整システム。
【請求項２】
前記傾斜調整ユニットは、
パチンコ島の天板に止着する止着部を備え、前端および後端には枢支部を形成した支持板と、
上記前後の枢支部の内側に横架枢着するとともに移動ナットを螺着した調整ボルトと、
調整ボルトに連結し、外周に固定したギヤおよび１もしくは複数のギヤを介してステッピングモーターと連結したフォトインタラプタと、
上記ステッピングモーターおよびフォトインタラプタの制御基盤と、
制御基板のコントローラとで構成したことを特徴とする、
前記請求項１記載のパチンコ台の傾斜調整システム。
【請求項３】
前記上部枠の取り付けユニットは、
前部に上部枠の止着部を設け、他方、後部両側を立ち上げて長穴を穿つたスライド部を形成した取り付け板と、
水平連結部を前記移動ナットの下端に固定し、他方、前部両側を下方に曲折して支持穴を備えた支持部を形成した支持板とで構成し、
支持部の外側に、スライド部をスライド自在に設け、
長穴に支軸を挿通して支持穴に貫通固定して、
前記移動ナットに対して、取り付け板を上下移動自在としたことを特徴とする、
前記請求項１記載のパチンコ台の傾斜調整システム。
【請求項４】
前記取り付けユニットは、
前記移動ナットに上下移動自在に連結した筐体と、
筐体に回転支点を支承され、先端の挟持部をパチンコ台枠の上部枠の上下に開閉自在に配置された上挟持板と下挟持板と、
上下の挟持板の支点に夫々一体で形成したリンク板と、
リンク板相互を連結した支軸と、
下挟持板のリンク板には連続して係合突起を形成して、
係合突起の上下移動によって上下の挟持板の先端部が開閉するようにし、
他方、筐体の内部に回転自在に立設した操作ボルトと、
操作ボルトにネジ込まれ、上記突起の上部に係合したナットと、
下挟持板が半時計方向に回転して突起がナットを付勢するようにして、下挟持板に装着したトーションバネとで構成し、
操作ボルトの回転によるナットの上下移動によって、上下の挟持板は連動して上部枠を取り付けもしくは開放して、パチンコ台枠の取り付けが行なわれるようにしたことを特徴とする、
前記請求項１記載のパチンコ台の傾斜調整システム。
【請求項５】
前記コントローラは、
パチンコ島の前側に設け、
パチンコ島の前方より操作することを特徴とする、
前記請求項１記載のパチンコ台の傾斜調整システム。
【発明の詳細な説明】
【技術分野】
【０００１】  この発明はパチンコ台を、所定の傾斜でパチンコ島に取付ける傾斜調整システムに関する。
【背景技術】
【０００２】  パチンコ台をパチンコ島に設置する場合、パチンコ台の上部が後方に傾斜した角度で取り付けられる。
この角度は、１°以内に規定され、また、パチンコ台によっては推奨されている角度がある。
上記の角度は、パチンコ台前面の下端を支点とした垂線に対して、パチンコ台の前面の上端が水平後方向に移動した距離で表され、例えばこの距離が３分５厘（約１０．６ミリ）の場合、このパチンコ台は、３分５厘で取り付けられているとしている。
パチンコ島は、施工時には予め任意の傾斜で設置されているので、パチンコ台とパチンコ島の双方の前面を面一として取り付ければ、パチンコ台も同様の傾きで設置されることになるが、パチンコ島の傾きは変化しやすく、また、パチンコ台自体に要求される傾きも多様である。【０００３】  上述において、パチンコ台をパチンコ島に取り付けた後に、パチンコ台の傾斜を調整する多様な調整装置が提案されている。
他方、パチンコ台をパチンコ島に取り付けるには、方形のパチンコ台枠をパチンコ島の取り付け区画に配置して、この上部枠と下部枠を取り付けた後に、このパチンコ台枠にパチンコ台を取り付けるものであり、パチンコ台は左側端を支点として開閉自在に取り付けられる。【０００４】  前記のパチンコ台の傾斜調整装置は、パチンコ島に固定した装置本体に対して、パチンコ台枠の上部枠が前後に移動するように取り付けられることで、この上部枠は下部枠を支点として前後に移動調整できる。
また、パチンコ島の下板は、パチンコ台の重量などを原因とする経年的劣化で降下して撓みが発生し、これにともなって上部枠も同様に下降する。
上記において、台枠の上部枠と相対する取り付け部は、取り付け位置を上下に変更できる構成が必要となる。【０００５】  上記の問題を解決する上で、例えば特許文献１が提案されている。
上記は、パチンコ島に固定されたギヤボックスに装置されたステッピングモーターと、このステッピングモーターと同期回転するナットに噛合して、ステッピングモーターの駆動で、前後方向に移動するスライド棹と、このスライド棹に連結されたブラケットとで構成されている。
また、ブラケットは、パチンコ台枠の上部枠を止着した固定板と連結しているので、上記のステッピングモーターの回転で、上部枠は前後に移動してパチンコ台枠の傾斜が調整される。
また、固定板には縦長孔を形成し、この縦長孔に係止ピンを挿通してブラケットと連結することで、固定板を上下移動自在として前述の問題を解決している。
また、この実施例ではブラケットの前後の移動は、パチンコ島の天板に固定されたスライドガイドで水平に案内されるようにしている。
【先行技術文献】
【特許文献】
【０００６】
【特許文献１】特許６１９６００６号
【発明の概要】
【発明が解決しようとする課題】
【０００７】  パチンコ島に設置されたパチンコ台の後方は、パチンコ玉や札の搬送レールなどが配置し、また、パチンコ島が店内の壁際にある場合は、特に壁との間隔が少なく、傾斜調整装置の設置スペースは限定されている。
上記の観点より、傾斜調整装置はできる限り奥行きを狭くする必要性がある。
一方、前記の特許文献では、スライド棹が前後に移動してパチンコ台の傾斜が調整される構造である。
パチンコ台の傾斜の規準は、パチンコ台の上端部前面と、これに相対するパチンコ島の前面にあり、設計上は上記双方の前面が一致した状態を傾斜の規準としている。
即ち、前述の３分５厘の傾斜で立ち上がっているパチンコ島に、前面を一致させて取り付けたパチンコ台の傾斜は同様に３部５厘となるので、パチンコ台の傾斜の調整において前記スライド棹の移動域は僅かである。【０００８】  然しながら、パチンコ台枠の上部枠が機種によって規準巾より狭い場合、また、パチンコ島の天板の巾が一般的な規準巾より広い場合においては、前述のようにパチンコ台の傾斜の規準がこの前面とされていることから、上部枠の巾の狭い距離分、もしくは天板の巾が広い距離分に応じて、夫々スライド棹を前方に移動させることになり、ギヤボックスは、スライド棹の移動域に対応した奥行が必要となり、パチンコ台の後方にスペースが少ない場合は設置が困難となる場合もある。
また、上記傾斜の調整は、パチンコ台枠もしくはパチンコ台に設けたセンサーのデーターによって、フォトインタラプタおよびステッピングモーターで行なわれ、一方、この時のコントローラの操作は傾斜値の変化を確認しながら行なわれていた。【０００９】  本発明のパチンコ台の傾斜調整システムは、上記に鑑みてなされたもので、上記の従来問題点の解決を目的としている。
即ち、ギヤボックスの小型化を図って、パチンコ島内部の設置スペースが少ない場合でも設置できるようにし、また、この傾斜調整の操作も簡易にできるようにした。
【課題を解決するための手段】
【００１０】  前記問題を解決するためこの発明は、パチンコ島に取り付けたパチンコ台の傾斜を調整するパチンコ台の傾斜調整システムであり、パチンコ島に固定したギヤボックスに回転自在として組み込まれ、移動ナットを螺合した調整ボルトと、調整ボルトに連結したフォトインタラプタと、１もしくは複数のギヤを介して、上記フォトインタラプタと連結したステッピンクモーターと、パチンコ台もしくはパチンコ島に取り付けたセンサーのデーターに基づいてフォトインタラプタの回転角度を制御する制御基板と、パチンコ台の傾斜値を５厘単位で表示するディスプレイを備えたコントローラとで構成した傾斜調整ユニットと、上記移動ナットに、上下移動自在に連結した上部枠の取り付けユニットとで構成し、上記コントローラで、パチンコ台の傾斜値を選択することでパチンコ台の傾斜が調整されるようにした。【００１１】  前記傾斜調整ユニットは、パチンコ島の天板に止着する止着部を備え、前端および後端には枢支部を形成した支持板と、上記前後の枢支部の内側に横架枢着するとともに移動ナットを螺着した調整ボルトと、調整ボルトに連結し、外周に固定したギヤおよび１もしくは複数のギヤを介してステッピングモーターと連結したフォトインタラプタと、上記ステッピングモーターおよびフォトインタラプタの制御基盤と、制御基板のコントローラとで構成した。【００１２】  前記上部枠の取り付けユニットは、前部に上部枠の止着部を設け、他方、後部両側を立ち上げて長穴を穿ったスライド部を形成した取り付け板と、水平連結部を前記移動ナットの下端に固定し、他方、前部両側を下方に曲折して支持穴を備えた支持部を形成した支持板とで構成し、支持部の外側に、スライド部をスライド自在に設け、長穴に支軸を挿通して支持穴に貫通固定して、前記移動ナットに対して、取り付け板を上下移動自在とした。【００１３】  前記取り付けユニットは、前記移動ナットに上下移動自在に連結した筐体と、筐体に回転支点を支承され、先端の挟持部をパチンコ台枠の上部枠の上下に開閉自在に配置された上挟持板と下挟持板と、上下の挟持板の支点に夫々一体で形成したリンク板と、リンク板相互を連結したピンと、下挟持板のリンク板には連続して突起を形成して、突起の上下移動によって上下の挟持板の先端部が開閉するようにし、他方、筐体の内部に回転自在に立設した操作ボルトと、操作ボルトにネジ込まれ、上記突起の上部に係合したナットと、下挟持板が半時計方向に回転して突起がナットを付勢するようにして、下挟持板に装着したトーションバネとで構成し、操作ボルトの回転によるナットの上下移動によって、上下の挟持板は連動して上部枠を取り付けもしくは開放して、パチンコ台枠の取り付けが行なわれるようにした。【００１４】  前記コントローラは、パチンコ島の前側に設け、パチンコ島の前方より操作するようにした。
【発明の効果】
【００１５】  この発明のパチンコ台の傾斜調整システムは、前記の構成であるので、パチンコ台枠の上部枠の上下位置が変わっても、取り付け板が追随して同様に上下位置が変わるので特別に操作を必要としない。
また、傾斜調整の操作が、コントローラのディスプレイに表示される５厘単位の傾斜値を選択するだけで行なうことができるのでこれらの操作が簡易になった。
【図面の簡単な説明】
【００１６】
【図１】パチンコ島の正面図。
【図２】パチンコ台の傾斜調整システムを示すパチンコ島の断面図。
【図３】傾斜調整ユニットと、取り付けユニットの断面図。
【図４】図３の分解斜視図。
【図５】図２のＡ−Ａ線に沿う平断面図。
【図６】図５のＢ−Ｂ線に沿う断面図。
【図７】傾斜調整ユニットと、取り付けユニットの断面図。
【図８】コントローラの説明図。
【発明を実施するための形態】
【００１７】  この発明は、パチンコ台の傾斜調整システムに関し、以下、図１〜図８を参照し、この発明を説明する。
【００１８】  図１は、パチンコ島１の正面図を示し、パチンコ島１の天板２と下板３および縦桟４とで構成した区画５には、パチンコ台枠６を配置している。
パチンコ台枠６は、上部枠７および下部枠８を、夫々天板２および下板３に取り付けられている。
上部枠７は、パチンコ島の天板２に固定した傾斜調整ユニット９および、この傾斜調整ユニット９に連結した取付けユニット１０で天板２に取り付けられ、一方、下部枠８は下板３にネジ等で取り付けられている。
【００１９】  パチンコ島１の断面を示した図２は、傾斜調整ユニット９および取り付けユニット１０によって、天板２に上部枠７が取り付けられている状態を例示している。
傾斜調整ユニット９は、ステッピングモーター１１を備えたギヤボックス１２と、このギヤボックス１２と接続し、前部の止着部１３をパチンコ島１に止着した支持板１４と、ステッピングモーター１１に連結し支持板１４に回転自在に支承された調整ボルト１５と、この調整ボルト１５と螺合した移動ナット１６とで構成している。
ステッピングモーター１１は、図５および図６で示したように、ギヤボックス１２内に組み込まれた複数のギヤ１７を介してフォトインタラプタ１８のギヤ１９に噛合し、フォトインタラプタ１８は支持板２０およびブッシュ２１で回転自在に支承され、また内部には調整ボルト１５を連結している。
上記の構成でステッピングモーター１１の駆動で調整ボルト１５が回転し、螺合している移動ナット１６は前後に移動する。
移動ナット１６は、上記移動に伴ってこの下側に固定した取り付けユニット１０を同様に移動し、取り付けユニット１０に装着された上部枠７が下部枠８を支点として前後に回転移動してパチンコ台２２の傾斜が調整される。
傾斜調整ユニット９および取り付けユニット１０は、パチンコ島１の天板２に、左右一対で配置止着されて、パチンコ台枠６の上部板７の左右の個所を装着し、一方、パチンコ台枠６の下部板８はネジ２３でパチンコ島１の下板３に同様の左右個所を装着される。
【００２０】  傾斜調整ユニット９を図３および図４で説明すると、前後に枢支部２４、２４を形成した逆Ｕ字形の支持板１４は、調整ボルト１５を回転自在に支承している。
調整ボルト１５は前端に枢軸２５を、他方、後端に枢支溝２６を形成し、一方、枢軸２５を前方の枢支部２４の枢支穴２７に配置し、枢支溝２６に、後方の枢支部２４の下端に形成した枢支凹部２７を挿入して、前後の移動を規制されるとともに支持板１４に回転自在に支承され、また、図５のようにフォトインタラプタ１８に連結している。
【００２１】  ２８は、前方に止着部１３を一体に形成した取り付け板を示し、この取り付け板２８は、左右に振れ止め部３０を一体で垂下し、振れ止め部３０の内側には、前記枢支部２４、２４を挿入して、この枢支部２４と振れ止め部３０は溶接等の手段で一体に固着している。
【００２２】  ３１は、上端に凹部３２を形成したコ形の支承板を示し、この支承板３１を左右の振れ止め部３０の外側に設け、凹部３２を調整ボルト１５の枢支溝２６に挿入して調整ボルト１５を回転自在に支承し、螺子３３で取付け穴３４および螺子穴３５を介して振れ止め部３０に止着している。
【００２３】  また、上部を調整ボルト１５に螺着した移動ナット１６は、左右の振れ止め部３０の内側に係合して左右の振れが防止されるとともに調整ボルト１５の回転で前後に移動する。
【００２４】  次ぎに取り付けユニットを１０を説明すると、３６は、前端の左右両側に支持部３７を垂下した支持板を示しこの支持部３７には軸穴３８が穿設されている。
３９は、前端をパチンコ台枠６の上部枠７に止着する止着部４０とした取り付け板を示し、この取り付け板３９は後端部の左右両側にスライド部４１を曲折形成し、このスライド部４１には長穴４２が穿設されている。
上記支持板３６の支持部３７の外側に、取り付け板３９のスライド部４１をスライド自在に設け、スプリングピンなどの支軸４３を、スライド部４１の長穴４２に挿通して、支持部３７の軸穴３８にスプリング作用で固着することで、取り付け板３９は上下移動自在に支持板３６に取付けられる。
上記でパチンコ台枠６の上取り付けユニット１０を構成している。
【００２５】  上記の傾斜調整ユニット９と取り付けユニット１０は、移動ナット１６の下端を支持板３６の水平連結部４４に溶接等で固定し、パチンコ島１の天板２の後端上面に取り付け板２８の止着部１３を配置して、天板２の下側より螺子４５で止着部１３の穴に止着し、他方、取り付けユニット１０の止着部４０に、パチンコ台枠６の上部枠７を配置して穴４６を介して螺子４７で止着することで、調整ボルト１５の回転で、パチンコ台枠６およびパチンコ台２２の上部は前後方向に移動して傾斜が調整される。
【００２６】  図７は取り付けユニット１０の他の実施例を示している。
４８は、取り付けユニット１０のベースとなる筐体を示し、この筐体４８は上部に連結部４９を介して筐体４８の内部に、前記移動ナット１６を挿入し、筐体４８の外側より移動ナット１６の下端の螺子穴４９５０にボルト５０ａを螺着して筐体４８を傾斜調整ユニット９に取り付ける。
上記において、筐体４８はボルト５０を回すことで上下位置を可変する。
【００２７】  ５１、５２は、パチンコ台枠６の上部板７の上下に配置した、上挟持板および下挟持板を示し、この上下の挟持板５１、５２は基端部を夫々、支軸５４で筐体４８に回転自在として枢着し、また、夫々一体で形成したリンク板５５相互を支軸５６で連結し、一方の下挟持板５２は、リンク板５５の後端に係合突起５７を形成している。
上記において、上下の挟持板５１、５２はリンク機構を構成し、係合突起５７の上下移動で、上下の挟持板５１、５２は先端を対向して開閉する。
５８は、筐体４８内部に回転自在に立設した操作ボルトを示し、この操作ボルト５８はナット５９を螺着するとともに、このナット５９は、下挟持板５２の係合突起５７に係合し、一方、下挟持板５２をトーションバネ６０等で支軸５４を支点として反時計方向に付勢している。
上記において、操作ボルト５８を回転すると上下の挟持板５１、５２は、前端部を閉扉してパチンコ台枠６の上部枠７を押圧挟持し、開扉してパチンコ台枠６の取外しを行なうことができる。
【００２８】  図８で示した６１は、ギヤボックス１２もしくはコントローラ６２に設置される制御基板６１を示し、図１および図２のセンサー６３のデーターに基づいてフォトインタラプタ１８の回転角を制御してステッピングモーター１１を駆動することでパチンコ台２２の傾斜が調整される。
【００２９】  図８はコントローラ６２を示し、５厘単位の傾斜値を表示するＬＣＤモジュール等のディスプレイ６４と、この操作ボタン６５とで構成し、操作ボタン６５の操作で５厘単位の傾斜値を選択してパチンコ台２２の傾斜を設定する。
コントローラ６２は図２で示したようにパチンコ島１の点検開口部６６に設置されて、通常は幕板６７で隠されているが、このコントローラ６２の設置位置は、パチンコ島１の前側から操作できるようなパチンコ島１の前面であれば特に限定するものではない。
【符号の説明】
【００３０】      １・・・パチンコ島
２・・・天板
３・・・下板
６・・・パチンコ台枠
７・・・上部枠
８・・・下部枠
９・・・傾斜調整ユニット
１０・・・取り付けユニット
１１・・・ステッピングモーター
１２・・・ギヤボックス
１３・・・止着部
１４・・・支持板
１５・・・調整ボルト
１６・・・移動ナット
１７・・・ギヤ
１８・・・フォトインタラプタ
１９・・・ギヤ
２２・・・パチンコ台
２８・・・取り付け板
３６・・・支持板
３７・・・支持部
３８・・・支持穴
３９・・・取り付け板
４０・・・止着部
４１・・・スライド部
４２・・・長穴
４３・・・支軸
４８・・・筐体
５１・・・上部挟持板
５２・・・下部挟持板
５４・・・支軸
５５・・・リンク板
５６・・・支軸
５７・・・係合突起
５８・・・操作ボルト
５９・・・ナット
６０・・・トーションバネ
６１・・・制御基板
６２・・・コントローラ
６３・・・センサー
６４・・・ディスプレイ
６５・・・操作ボタン
６６・・・点検開口部
６７・・・幕板
【図１】
2020168342.tif 000003
【図２】
2020168342.tif 000004
【図３】
2020168342.tif 000005
【図４】
2020168342.tif 000006
【図５】
2020168342.tif 000007
【図６】
2020168342.tif 000008
【図７】
2020168342.tif 000009
【図８】
2020168342.tif 000010